(57)【要約】      （修正有）【課題】タオルに泡立て布を組み合わせ、拭い機能と泡立て機能を一本のタオルで発揮し、且つ、泡立て性、装飾性およびファッション性に富むタオルを提供する。  【解決手段】タオル１に泡立て布２が縫い付けられており、該泡立て布２が、動物絵柄、キャラクター絵柄、モチーフ柄、デザイン文字、デザイン柄およびコサージュのいずれか１以上を形成していることを特徴とする泡立て布付タオル。【選択図】図１
0003181574.tif 000002
【実用新案登録請求の範囲】
【請求項１】
タオル（１）に泡立て布（２）が縫い付けられており、該泡立て布（２）が、動物絵柄、キャラクター絵柄、モチーフ柄、デザイン文字、デザイン柄およびコサージュのいずれか１以上を形成していることを特徴とする泡立て布付タオル。
【請求項２】
タオル（１）が、浴用タオル又はウオッシュタオルである請求項１記載の泡立て布付タオル。
【請求項３】
泡立て布（２）が合成繊維からなる請求項１又は２に記載の泡立て布付タオル。
【考案の詳細な説明】
【技術分野】
【０００１】
本考案は、泡立て機能を兼備したタオルであって、且つ、装飾性、ファッション性に優れた泡立て布付タオルに関するものである。
【背景技術】
【０００２】
従来、浴用タオルに垢擦り部材を組み合わせ、一本のタオルで垢すりが兼用できるようにしたものが知られている。例えば特許文献１には、タオルの片面にナイロン等の繊維で作った布状の垢擦りを重ねて縫製し、一体化させたもの、また、タオルと垢擦りをつなぎ合わせたものが記載されている。しかしながら、このタオルは、装飾性、ファッション性に乏しいものであった（特許文献１）。他の事例として、例えばタオルの裏面に、肌に対して刺激に伴う快感を与えるタオル地を縫いつけたり貼り付けたりした両面タオルが知られている（特許文献２）。しかしながら、特許文献２は、特許文献１の例と同様に装飾性、ファッション性に乏しいものであった。またこれらの公知のタオルでは、泡立て機能が弱く、従って泡立ての為に必要以上の石鹸を用いるという問題があって、排水の汚染度を高めることが指摘されている。
【先行技術文献】
【特許文献】
【０００３】
【特許文献１】実開平７−２４１９４号公報
【特許文献２】実開平６−７５２９３号公報
【考案の概要】
【考案が解決しようとする課題】
【０００４】
本考案は、タオル（１）に泡立て布（２）を組み合わせ、拭い機能と泡立て機能を一本のタオルで発揮し、且つ、装飾性、ファッション性に富むタオルを提供することを課題とする。
【課題を解決するための手段】
【０００５】
本考案は、タオル（１）に泡立て布（２）が縫い付けられており、該泡立て布（２）が、動物絵柄、キャラクター絵柄、モチーフ柄、デザイン文字、デザイン柄およびコサージュのいずれか１以上を形成していることを特徴とする泡立て布付タオルである。
【０００６】
本考案のタオル（１）は、浴用タオル又はウオッシュタオルであることが望ましい。本考案に用いる泡立て布（２）は、合成繊維を素材として用いるのが好ましい。殊に、布の構造としては、パイル生地、ラッセル編地、レース編地、マイヤー編地等が目的乃至課題を達成する上で好ましい。泡立て布（２）は、泡立て性、装飾性、ファッション性があり、且つ、皮膚の清浄化効果を奏する。
【０００７】
本考案タオル（１）の泡立て布（２）を形成する糸の素材としては、例えば、ナイロン、ポリエチレンテレフタレート（ポリエステル）、ポリエチレン、ポリトリメチレンテレフタレート、ポリブチレンテレフタレート等の合成繊維が挙げられる。特に、肌との接触感覚が優しく、泡立ちや泡切れがよく、皮膚の清浄化効果に優れる点で、ナイロン、ポリエステルまたはポリエチレンが好ましい。
【０００８】
本考案のタオル（１）の泡立て布（２）に用いる糸の太さは、限定されるものではないが７０〜６００デシテックスが推奨される。本考案のタオル（１）の泡立て布（２）は、動物絵柄、キャラクター絵柄、モチーフ柄、デザイン文字、デザイン柄およびコサージュのいずれか１以上を形成する。
【０００９】
本考案のタオル（１）に用いる糸の素材としては、肌触りがよく、柔らかくて、水分の吸放湿性のよいものであれば、如何なるものでも良い。例えば、天然繊維としては、綿、カポック、亜麻、苧麻、大麻、黄麻、マニラ麻、サイザル麻、等のセルロース繊維、羊毛、カシミア、モヘア、アルパカ、ラクダ毛、絹等のタンパク繊維が挙げられ、化学繊維としては、レーヨン、ポリノジック、リヨセル、テンセル等の再生繊維、ナイロン、ポリエチレンテレフタレート（ポリエステル）、ポリエチレン、ポリトリメチレンテレフタレート、ポリブチレンテレフタレート等の合成繊維が挙げられるが、特に肌触りがよく、柔らかくて、水分の吸放湿性が良いことから、綿、絹、レーヨン、麻、ウール、等の素材が好ましい。
【００１０】
本考案のタオル（１）に用いる糸の太さは、綿番手で１０’Ｓ〜４０’Ｓが望ましい。
【００１１】
本考案のタオル（１）に縫い付けられる泡立て布（２）は、装飾性、ファッション性を損なわない範囲で、タオルの両面または片面の全面的もしくは部分的あるいは分散的に１個または２個以上いくつ設けても良い。泡立て布（２）を部分的あるいは分散的１個または２個以上取り付ける際の縫い付け位置は、ファッション性を損なわない範囲において、特に限定するものではないが、体を洗ったり、背中を洗ったりするのにタオル（１）の中央付近に配置されていると便利であるので好ましい。
【考案の効果】
【００１２】
本考案の泡立て布付タオルは、タオル（１）に泡立て布（２）を組み合わせ、拭い機能と泡立て機能を一本のタオルで発揮し、且つ、動物絵柄、キャラクター絵柄、モチーフ柄、デザイン文字、デザイン柄およびコサージュのいずれか１以上を形成しており、刺繍やアップリケとして縫い付けられているので、泡立て効果が抜群であり、且つ前記機能以外に装飾性、ファッション性が与えられている。結局、少ない石鹸でも十分な泡立てがタオル全体に行き亘り、従って効果的な体表面洗浄操作を短時間に行うことができる。それによって体表面から脂質分を過剰に洗い去って肌の保湿性に障害を与えることが軽減され、入浴後にローションを使用する経験の少ない男性にとってもうるおい肌の保持効果を享受できる。
【図面の簡単な説明】
【００１３】
【図１】本考案の実施例１で得られた泡立て布付きタオルの概略を示す図である。
【図２】本考案の実施例１で得られた泡立て布付きタオルの側面図を示す。
【考案を実施するための形態】
【００１４】
本考案はタオル（１）に泡立て布（２）が縫い付けられており、該泡立て布（２）が、動物絵柄、キャラクター絵柄、モチーフ柄、デザイン文字、デザイン柄およびコサージュのいずれか１以上を形成していることを特徴とする泡立て布付タオルである。泡立て布（２）は、泡立てや泡切れが良いことから合成繊維が好ましい。特にナイロン、ポリエステルまたはポリエチレンが望ましい。
【実施例】
【００１５】
（実施例１）
タオル織機を用い、綿糸を素材として、ガーゼタオル織物を織成した。一方、マイヤー編み機により、編成したマイヤー生地を用いて、熊の顔の絵柄を切り出した。前記ガーゼタオル織物をたて３４ｃｍよこ９０ｃｍの大きさに裁断し、このガーゼタオル織物の略中心付近に前記熊の顔の絵柄を刺繍仕上げで縫い付けし、泡立て布付タオルを作製した。
【００１６】
図１は、実施例１で得られた泡立て布付きタオルの概略見取り図を示す。
【００１７】
図２は、実施例１で得られた泡立て布付きタオルの側面図を示す。
【産業上の利用可能性】
【００１８】
本考案の泡立て布付タオルは、タオル（１）に泡立て布（２）を組み合わせ、タオルの拭い機能と泡立て機能を一本のタオルで発揮し、且つ、泡立て布（２）は、動物絵柄、キャラクター絵柄、モチーフ柄、デザイン文字、デザイン柄およびコサージュのいずれか１以上を形成しているので前記の泡立て機能に加えて、装飾性、ファッション性に優れたタオルが提供できる。
【符号の説明】
【００１９】
１：タオル
２：泡立て布
【図２】
0003181574.tif 000003
【図１】
0003181574.tif 000004